(57)【要約】【課題】必要時にのみ臭気防止装置を駆動させることができると共に、臭気を効果的に遮ることにより、取扱者による作業時における臭気の影響を極力少なくし、快適に作業ができるようにすること。【解決手段】臭気防止装置２０は、床面２１に設置される汚水測定スタンド２３と、この床面２１下に設けられる水槽２２のケーブル導入口２２ａから床面下に設けられる水槽２２側へ落とし込まれる信号ケーブル２４と、ケーブル導入口２２ａを外側から塞ぐように設けられる臭気封止装置２５とを具備し、臭気封止装置２５は、臭気防止装置本体２９と、この臭気防止装置本体２９の上方に開閉自在に設けた臭気封止蓋３１と、防臭気防止装置本体２９内に設置され、ケーブル導入口２２ａ方向へ送風可能に設けられる送風ファン装置３２と、臭気封止蓋３１の開閉動作に連動して送風ファン装置３２を駆動するファンスイッチ３５とを備える。【選択図】  図１
2006214181.tif 000002
【特許請求の範囲】
【請求項１】
床面に設置される汚水測定スタンドと、
この床面下に設けられる水槽のケーブル導入口から床面下に設けられる水槽側へ落とし込まれる信号ケーブルと、
上記ケーブル導入口を外側から塞ぐように設けられる防臭装置と、を具備し、
上記防臭装置は、臭気防止装置本体と、この臭気防止装置本体の上方に開閉自在に設けた臭気封止蓋と、上記臭気防止装置本体内に設置され、上記ケーブル導入口方向へ送風可能に設けられる送風ファン装置と、上記臭気封止蓋の開閉動作に連動して上記送風ファン装置を駆動するファンスイッチとを備えたことを特徴とする臭気防止装置。
【請求項２】
上記送風ファン装置は、臭気防止装置本体のケーブル導入口側に向かって送風ファンを設けたことを特徴とする請求項１記載の臭気防止装置。
【請求項３】
上記送風ファンは、臭気防止装置本体のケーブル導入口側に向かって複数設けたことを特徴とする請求項２記載の臭気防止装置。
【請求項４】
上記送風ファン装置は、ファンの向きを臭気防止装置本体のケーブル導入口側に所要の角度で向かうように保持し得る支持台を設けたことを特徴とする請求項１記載の臭気防止装置。
【請求項５】
上記防臭装置は、臭気防止装置本体内において、水槽のケーブル導入口の直上に、周囲に複数の透孔を備えた防臭筒体が設けられたことを特徴とする請求項１記載の臭気防止装置。
【請求項６】
上記防臭筒体には、送風ファン装置の一部を保持する壁部が設けられたことを特徴とする請求項５記載の臭気防止装置。
【発明の詳細な説明】
【技術分野】
【０００１】
この発明は、下水道設備等の汚泥を扱う設備に付属して設けられる臭気防止装置に係るもので、特に建屋内において汚泥を管理する汚泥取扱設備に使用するに適する臭気防止装置に関する。
【背景技術】
【０００２】
従来、この種の臭気防止装置として、下水処理施設の貯水槽内の異臭を脱臭するために、貯水槽内の異臭気を貯水槽外へ排出させて常時貯水槽内の臭気環境を改善したものがある。
【０００３】
このような臭気防止装置として、特開２０００−２７２８２号公報（特許文献１参照）に開示されたものがある。特許文献１には、図５に示すように臭気防止装置１が開示されている。
【０００４】
臭気防止装置１は、汚水ａを流入させて貯留するように設けられた水槽２と、この水槽２内の貯水の貯水量を監視する監視制御盤３と、水槽２と監視制御盤３との間にあって、水槽２内の異臭を排気できるように接続される排気管４ａ，４ｂとから構成されている。
【０００５】
水槽２には汚水ａの流入管５が備えられ、汚水ａが一時的に貯留されている。水槽２内には、低部に水位計６が信号ケーブル７を介して配置されている。
【０００６】
この水位計６は、信号ケーブル７ａが排気管４ａに、また、電源ケーブル７ｂが排気管４ｂ内に挿通されて監視制御盤３側に接続されている。また、水槽２内には、水中ポンプ８が配置され、汚水ａの排出時等必要に応じて外部へ排出できるように圧送管９が設けられている。
【０００７】
監視制御盤３には、排気管４ａ，４ｂを介して水槽２内の汚水臭を外部へ排気することができるように、臭気排出装置１０が設けられている。この臭気排出装置１０は、排気室１１と、この排気室１１を経由して水槽２内の汚水ａによる臭気を通過させる脱臭フィルター１２と、この脱臭フィルター１２を通して強制的に排気させることができる排気ファン１３が設けられている。
【０００８】
符号１４は、水槽２内の点検等を行なうために設けられた蓋体である。この蓋体１４を開いて、水槽２内の点検等の取扱いをする場合には、その取扱者による水槽２内の作業を行なっても、異臭による強い影響を受けることが少ない。
【０００９】
このように、従来の臭気防止装置１によれば、水槽２内の汚水ａにより発生する異臭を監視制御盤３側から外部へ排出することができるように構成されているので、水槽２内の蓋体１３を開いて、作業を行う取扱者にとって汚水ａからの臭気の影響が少なくなり、作業環境を改善することができるものである。
【特許文献１】特開２０００−２７２８２号公報
【発明の開示】
【発明が解決しようとする課題】
【００１０】
従来の臭気防止装置１によれば、水槽２内の臭気を常時除去するように臭気排出装置１０が設けられたものであるが、この臭気排出装置１０は、常時水槽２内の臭気を排気するために設けられたものであるため、この臭気排出装置１０を常時運転するための排気ファン１３等の設備の設置が必要となる。
【００１１】
また、臭気排出装置１０は、排気ファン１３を常時運転することになり、その消費電力も相当にかかるという欠点があった。
【００１２】
本発明は、上記の事情に鑑みてなされたもので、特別の設備を必要とせず、また、排気ファン等の駆動設備の常時運転することなく、安価な設備費と運転費用で、更には効果的な防臭手段により、取扱者にとって作業時における臭気の影響を極力少なくすることができる臭気防止装置を提供することを目的とする。
【課題を解決するための手段】
【００１３】
上記目的を達成するために、本発明によれば、床面に設置される汚水測定スタンドと、この床面下に設けられる水槽のケーブル導入口から床面下に設けられる水槽側へ落とし込まれる信号ケーブルと、上記ケーブル導入口を外側から塞ぐように設けられる防臭装置と、を具備し、上記防臭装置は、臭気防止装置本体と、この臭気防止装置本体の上方に開閉自在に設けた臭気封止蓋と、上記臭気防止装置本体内に設置され、上記ケーブル導入口方向へ送風可能に設けられる送風ファン装置と、上記臭気封止蓋の開閉動作に連動して上記送風ファン装置を駆動するファンスイッチとを備えたことを特徴とする臭気防止装置を提供する。
【発明の効果】
【００１４】
本発明によれば、必要時にのみ臭気防止装置を駆動させることができる一方で、臭気を効果的に遮ることができるようにしたので、取扱者にとって作業時における臭気の影響を極力少なくすることができる臭気防止装置を提供することができる。
【発明を実施するための最良の形態】
【００１５】
本発明に係る臭気防止装置の実施形態について、添付図面を参照して説明する。
【００１６】
図１および図２は、本発明の臭気防止装置の実施形態の概要を示す図であり、図１は臭気防止装置２０の停止中（水位測定中）の状態を示し、図２は臭気防止装置２０の作動中の状態を示している。
【００１７】
臭気防止装置２０は、図１に示すように、装置設置室の床面２１上に設置される。この臭気防止装置２０は、床面２１下に設置される汚水ｘを一時的に貯留する水槽２２の水位を測定する際に、取扱者が床面２１上から作業しても、汚水ｘによる異臭の影響を受けなくするために設けられる。
【００１８】
臭気防止装置２０は、床面２１上に設けられ、取扱者の手作業により取扱われる汚水測定スタンド２３と、この汚水測定スタンド２３側から水位測定のために水槽２２の上方に設けられるケーブル導入口２２ａから落とし込まれる信号ケーブル２４と、ケーブル導入口２２ａを外側から塞ぐように設けられる臭気封止装置２５と、から構成される。
【００１９】
汚水測定スタンド２３は、この汚水測定スタンド２３から導き出される信号ケーブル２４が保持されると共に、取扱作業者による取扱いが容易なように目の高さ程度の高さの本体支柱２６と、この本体支柱２６の中間部にあって、信号ケーブル２４を掛け止めするケーブル掛具２７および水槽２２のケーブル導入口２２ａ上方から信号ケーブル２４を垂下させるガイドとして設けられるケーブル保持アーム２８とから構成される。ケーブル保持アーム２８には、その先端部に信号ケーブル２４を挿通し、保持するためのケーブルガイド孔２８ａが設けられる。
【００２０】
一方、臭気封止装置２５は、水槽２２のケーブル導入口２２ａを上方から覆うように設けられ、外部へ臭気が漏れないように設けられる臭気防止装置本体としての有底筒状あるいはボックス状の防臭容器２９と、この防臭容器２９の上方開口部を覆う、図２〜図４に示すような両開き式の臭気封止蓋３１と、防臭容器２９内に設置され、ケーブル導入口２２ａ方向へ送風可能に設けられる送風ファン装置３２と、この送風ファン装置３２を、側面から見て漏斗状に傾斜支持する支持台３３と、送風ファン装置３２のファン３４の前方にあって、ケーブル導入口２２ａの直上に設けられる防臭筒体３０と、臭気封止蓋３１の開閉動作に連動して送風ファン装置３２を駆動するファンスイッチ３５とを備えている。
【００２１】
防臭容器２９は、底部の中央に下方に突出するボス部２９ｃが形成され、このボス部２９ｃに同軸に取り付けられる。
【００２２】
支持台３３は、図１および図２に示すように、ケーブル導入口２２ａ側へ漏斗状に傾斜する上面に、送風ファン装置３２のそれぞれを所望角度傾斜させて支持している。
【００２３】
また、ケーブル導管３６は、水槽２２のケーブル導入口２２ａから水槽２２内に延出して設けられる。
【００２４】
防臭筒体３０は、送風ファン装置３２の設置位置より高さの高い筒状の壁部３０ａおよびフランジ部３０ｂを備えている。壁部３０ａには、送風ファン装置３２のファン３４の送風側に対向して複数の透孔３０ｃが形成される。この防臭筒体３０は、複数の透孔３０ｃから漏れ出ようとする臭気ｙを、送風ファン装置３２のファン３４による送風により、集中的且つ効率よく遮ることができる構成としている。
【００２５】
臭気封止蓋３１は、図３に示すように、防臭容器２９の胴体部２９ａの端部にヒンジ２９ｂにより支持された一対の蓋部分３１ａと、この一対の蓋部分３１ａのそれぞれに取っ手３１ｂが設けられる。
【００２６】
また一対の蓋部分３１ａには、閉蓋時に液密にシールできるように蓋部分同士の接合部にシールパッキン３１ｃが設けられる。更に、一対の蓋部分３１ａには、閉蓋時に信号ケーブル２４が貫通できるようにシールパッキン３１ｃを介して切欠部３１ｄが設けられる。一対の蓋部分３１ａは、図３に示すように、閉じられた状態で、切欠部３１ｄ同士が組み合わされて貫通孔が形成される。この貫通孔には、図１に示すように信号ケーブル２４が挿通される構成になっている。
【００２７】
一方、送風ファン装置３２は、防臭容器２９内に設けられる支持台３３に、図４に示すように、防臭筒体３０の方向に向かって４個のファン３４が設置される。これらのファン３４が同時に作動した際に生じる送風は、防臭筒体３０の各透孔３０ｃから水槽２２内に送られ、水槽２２のケーブル導入口２２ａ側から上昇してくる異臭が外部へ漏れないように、エアカーテンが形成され、水槽２２側へ閉じ込める作用をなすものである。
【００２８】
ファンスイッチ３５は、一対の蓋部分３１ａの少なくとも一方が開放された際に、作用（オン）するスイッチで、このスイッチ３５がオンすることにより、送風ファン装置３２が作動するようになっている。
【００２９】
なお、信号ケーブル２４の先端部には、水槽２２内の水位を検知する水位検知器３７が備えられ、水位測定時に水槽底面２２ｂまで落とし込まれるようになっている。この水位検知器３７は、水槽２２内に落とし込まれた位置における水圧を検知して、この検知した水圧データを信号ケーブル２４を介して、図示しない水槽監視室側へデータ送信されるようになっている。水槽監視室側では、水圧データに基く水槽２２内の量を算出して汚水量が測定されるようになっている。
【００３０】
一方、水槽２２は、図１および図２に示すように、コンクリート壁にて形成され、異臭を発する所定量の汚水ｘを一時的に貯留するもので、ケーブル導入口２２ａの直下に、水槽底面２２ｂ近くまで達する筒状の防臭管４０が設置される。
【００３１】
防臭管４０は、水槽２２内に安定して設置されるように、水槽２２の側壁面に一端が固定され、他端側の係合部４１ａにより係合される上下対の防臭管保持アーム４１により安定に保持される。この防臭管４０は、水槽２２の汚水ｘにて発生する臭気ｙの放散を防ぐように設けられる一方、ケーブル導入口２２ａ側から信号ケーブル２４と共に落とし込まれる水位検知器３７のガイドの役目をなすものである。この防臭管４０は、水槽２２の側壁部から延出させた複数の防臭管保持アーム４１により、側壁部に固定されている。
【００３２】
また、水槽２２には、一時的に貯留される汚水ｘを流入させる汚水流入口４２と、この流入した汚水ｘを漸次流出させる図示しない汚水流出口とが設けられる。汚水流入口４２には、図１および図２に示すように、水槽２２内の汚水ｘの量が所定の管理基準値を越えた際に、この汚水流入口４２を閉じる弁装置４３が設けられる。
【００３３】
次に、臭気防止装置２０の作用を、図１〜図４を参照して説明する。
【００３４】
臭気防止装置２０自体のメンテナンス時や、水槽２２内の汚水量の点検、例えば汚水量定期点検時に、取扱者にて取扱われる手順に沿って説明する。
【００３５】
取扱者は、汚水量定期点検にあたり、信号ケーブル２４を、図２に示す状態から、図１に示す状態にセットする。
【００３６】
先ず、図２に示すように、汚水測定スタンド２３側のケーブル掛具２７に掛かっている信号ケーブル２４を解き、当該ケーブル掛具２７から外し、この信号ケーブル２４を長くする。
【００３７】
次に、臭気封止装置２５の臭気封止蓋３１を開く。この臭気封止蓋３１が開かれると、水槽２２内の汚水ｘから発生した臭気ｙが、図１に示すように、防臭管４０およびケーブル導管３６内を上昇し、水槽２２のケーブル導入口２２ａを通して送風ファン装置３２の防臭容器２９内に充満した状態になっている。
【００３８】
そして、臭気封止蓋３１が開かれたことにより、臭気ｙが、臭気封止装置２５の防臭容器２９から外部へ流出する。この臭気ｙの防臭容器２９外への流出と同時に、送風ファン装置３２が作動する。
【００３９】
送風ファン装置３２が作動すると、ファン３４の送風作用により、臭気ｙを防臭容器２９内から、水槽２２側へ押し戻すように作用する。このファン３４の送風作用は、４つの送風ファン装置３２を作動させた場合には、水槽２２のケーブル導入口２２ａ側に集中して送風されるために、臭気成分ｙが散逸することなく、ケーブル導管３６を介して防臭管４０内へ押し戻すように作用している。
【００４０】
次に、ケーブル掛具２７から解かれた信号ケーブル２４を手で持ち上げて、水位検知器３７を、水槽２２のケーブル導入口２２ａの真上から水槽底面２２ｂへ落とし込む。そして、図１に示すように、水位検知器３７が水槽底面２２ｂに到達すると、信号ケーブル２４から手を離し、臭気封止装置２５の臭気封止蓋３１を閉じる。
【００４１】
取扱者による水位測定までの一連の作業が完了すると、水槽２２内の水位検知器３７が自動的に作動して水位検知データｚを取得する。この水位検知データｚは、信号ケーブル２４を介して水槽監視室側へ送信される。
【００４２】
水槽監視室側にて、水位検知データｚに基き、水槽２２内の水位を検知して、この水位が管理基準値を越えていた場合には、直ちに汚水流入口４２を閉じるべく弁装置４３の作動手段が作動させられる。また、水位が管理基準値を越えていなかった場合には、弁装置４３は現状を保持するべく作動手段は作動しない。
【００４３】
このように、臭気防止装置２０は、床面２１に設置される汚水測定スタンド２３と、この汚水測定スタンド２３側から、床面２１に設けられたケーブル導入口２２ａから床面下に設けられる水槽２２側へ落とし込まれる信号ケーブル２４と、ケーブル導入口２２ａの周囲部を外側から塞ぐように設けられる臭気封止装置２５とを備え、臭気封止装置２５は、防臭容器２９と、この防臭容器２９の上方に開閉自在に設けた臭気封止蓋３１と、防臭容器２９内に設置され、ケーブル導入口２２ａ方向へ送風可能に設けられる送風ファン装置３２と、臭気封止蓋３１の開閉動作に連動して送風ファン装置３２を駆動するファンスイッチ３５とを備えた構成としたから、取扱者が水槽２２内の水位を必要に応じて測定作業をするにあたって、臭気による不快感を被ることがない。
【００４４】
臭気封止蓋３１を開いて水位検知器３７を水槽２２のケーブル導入口２２ａから落とし込む際に、このケーブル導入口２２ａ側から漏れる臭気ｙが臭気封止装置２５の送風ファン装置３２のファン３４により、臭気ｙが防臭容器２９内から外部へ漏れないように作用する。
【００４５】
また、臭気防止装置２０によれば、送風ファン装置３２のファン３４がケーブル導入口２２ａ側に向かって設けられたことにより、ケーブル導入口２２ａから外部へ漏れ出ようとする臭気ｙが、ファン３４による送風によりケーブル導入口２２ａから水槽２２内へ閉じ込めるよう作用するので、臭気ｙがケーブル導入口２２ａから外部へ漏れないように作用する。従って、測定作業をするにあたって、臭気による不快感を被ることがない。
【００４６】
更に、臭気防止装置２０によれば、複数の送風ファン装置３２を設置して、各ファン３４によりケーブル導入口２２ａ側に向かって送風するようにしたことにより、この送風により臭気ｙをより一層ケーブル導入口２２ａから水槽２２内へ閉じ込めるよう作用する。従って、測定作業をするにあたって、異臭による不快感を被ることがない。
【００４７】
更に、臭気防止装置２０によれば、防臭容器２９のケーブル導入口２２ａ側に向かって設けられるファン３４を、図１に示す所望角度α（一方のみ図示）にして当該ファン３４の前方側から保持し得る支持台３３を設けた構成にしたから、臭気の状況に応じて所望角度αを可変させて用いることができる。
【００４８】
例えば、臭気が通常時より強い場合には、支持台３３の所望角度αをより大きい角度にして使用する。すなわち、ファン３４による送風方向を水槽２２のケーブル導入口２２ａに、例えばほぼ直上から送風する。この場合には、送風量は比較的多くすることにより、効果的に臭気の漏れを遮ることができる。
【００４９】
更にまた、臭気防止装置２０によれば、ファン３４の前方に複数の透孔３０ｃを形成した防臭筒体３０を設け、この筒状部の透孔３０ｃから漏れ出ようとする臭気ｙを集中的に遮ることができる構成としたから、より一層効果的に臭気の漏れを遮ることができる。従って、測定作業をするにあたって、臭気による不快感を被ることがない。
【００５０】
なお、臭気防止装置２０によれば、臭気封止蓋３１を開閉作動することにより、釦式のファンスイッチ３５をオン・オフさせるようにしたが、必ずしも釦式に限らず、例えば光検知スイッチ等のスイッチを用いることもできる。
【００５１】
また、ファンスイッチ３５は、臭気防止装置２０を定期的に点検したり、水槽２２の水位を定期的に測定する場合には、そのタイミングに合わせて送風ファン装置３２を一定時間前に作動させるタイマ機能を備えたものであってもよい。
【００５２】
更にまた、臭気防止装置２０によれば、汚水ｘを一時的に貯留する水槽２２に適用した例を説明したが、必ずしも水槽２２にのみの適用に限らず、種々の汚水ｘの臭気を発生させる各種設備に適用可能であることは勿論である。
【図面の簡単な説明】
【００５３】
【図１】本発明に係る臭気防止装置の実施形態を示す一部を断面して示す概要図。
【図２】図１のＡ−Ａ線に沿う断面図。
【図３】図１に示す臭気防止装置の臭気封止蓋を開放した状態を示す図。
【図４】図３のＢ−Ｂ線に沿う断面図。
【図５】従来の臭気防止装置の概要を示す一部縦断面。
【符号の説明】
【００５４】
２０  臭気防止装置
２１  床面
２２  水槽
２２ａ  ケーブル導入口
２２ｂ  水槽底面
２３  汚水測定スタンド
２４  信号ケーブル
２５  臭気封止装置
２６  本体支柱
２７  ケーブル掛具
２８  ケーブル保持アーム
２８ａ  ケーブルガイド孔
２９  防臭容器（臭気防止装置本体）
２９ａ  胴体部
２９ｂ  ヒンジ
２９ｃ  ボス部
３０  防臭筒体
３０ａ  壁部
３０ｂ  フランジ部
３０ｃ  透孔
３１  臭気封止蓋
３１ａ  一対の蓋部分
３１ｂ  取っ手
３１ｃ  シールパッキン
３１ｄ  切欠部
３２  送風ファン装置
３３  支持台
３４  ファン
３５  ファンスイッチ
３６  ケーブル導管
３７  水位検知器
４０  防臭管
４１  防臭管保持アーム
４２  汚水流入口
４３  弁装置
ｘ  汚水
ｙ  臭気
ｚ  水位検知データ
【図１】
2006214181.tif 000003
【図２】
2006214181.tif 000004
【図３】
2006214181.tif 000005
【図４】
2006214181.tif 000006
【図５】
2006214181.tif 000007